(57)【要約】【課題】使用者への装着状態に応じて、出力する音声を変化させるステレオイヤホン装置を提供する。【解決手段】ステレオイヤホン装置１００は、左右のイヤホンユニット１３Ｌ，１３Ｒと、左右チャンネルのソース音信号を受信または再生して出力するソース音出力部２５と、使用者による左右のイヤホンユニット１３Ｌ，１３Ｒまたはケーブル１２，１２Ｒが固定部に固定されていることを検知したとき、そのイヤホンユニットが使用者の耳に装着されていないと判断する装着状態検知部１６１Ｌ，１６１Ｒと、装着状態検知部１６１Ｌ，１６１Ｒの検知結果に基づいて、ソース音信号の左右のイヤホンユニット１３Ｌ，１３Ｒへの出力の態様を変化させる信号処理部２２と、を備える。【選択図】図４
2020080576.tif 000002
【特許請求の範囲】
【請求項１】
左右チャンネルの音声信号を音響に変換する左右のイヤホンユニットと、
前記左右のイヤホンユニットがそれぞれ固定される左右の固定部と、
前記固定部に前記イヤホンユニットが固定されているか否かを検知するセンサを含み、前記イヤホンユニットが前記固定部に固定されていることを前記センサが検知したとき、該イヤホンユニットは使用者の耳に装着されていないと判断する装着状態検知部と、
前記装着状態検知部の検知結果に基づいて、前記音声信号の前記左右のイヤホンユニットへの出力の態様を変化させる信号処理部と、
を備えたステレオイヤホン装置。
【請求項２】
左右チャンネルの音声信号を音響に変換する左右のイヤホンユニットと、
前記左右のイヤホンユニットにそれぞれ接続された左右のケーブルと、
前記左右のイヤホンユニットまたは前記左右のケーブルがそれぞれ固定される左右の固定部と、
前記固定部に前記イヤホンユニットまたはケーブルが固定されているか否かを検知するセンサを含み、前記イヤホンユニットまたはケーブルが前記固定部に固定されていることを前記センサが検知したとき、該イヤホンユニットまたは該ケーブルに接続されているイヤホンユニットは使用者の耳に装着されていないと判断する装着状態検知部と、
前記装着状態検知部の検知結果に基づいて、前記音声信号の前記左右のイヤホンユニットへの出力の態様を変化させる信号処理部と、
を備えたステレオイヤホン装置。
【請求項３】
使用者の首に装着する環状の装着部をさらに備え、
前記左右のケーブルは、前記装着部に接続されており、
前記固定部は、前記装着部に設けられている
請求項２に記載のステレオイヤホン装置。
【請求項４】
前記信号処理部は、前記装着状態検知部の検知結果に基づいて、前記左右のイヤホンユニットのうち前記音声信号を出力するイヤホンユニットを選択し、または、前記左右のイヤホンユニットから出力する音量を変化させる
請求項１乃至請求項３のいずれかに記載のステレオイヤホン装置。
【請求項５】
前記装着状態検知部が、前記左右のイヤホンユニットのうち、一方のイヤホンユニットが装着されていないことを検知した場合、前記信号処理部は、前記左右チャンネルの音声信号をダウンミックスした音声信号を前記他方のイヤホンユニットに出力する
請求項１乃至請求項４のいずれかに記載のステレオイヤホン装置。
【請求項６】
前記装着状態検知部が、前記左右のイヤホンユニットの一方または両方が装着されていないことを検知した場合、前記信号処理部は、該装着されていないイヤホンユニットに出力する音声信号のレベルを低下させ、または、該信号をオフする
請求項１乃至請求項５いずれかに記載のステレオイヤホン装置。
【請求項７】
外部音を収音するマイクをさらに備え、
前記信号処理部は、前記音声信号に対して前記外部音をミキシングし、前記装着状態検知部の検知結果に基づいて、前記ミキシングのオン／オフを切り換え、または、前記ミキシングの比率を変化させる
請求項１乃至請求項６いずれかに記載のステレオイヤホン装置。
【請求項８】
前記装着状態検知部が、前記左右のイヤホンユニットのうち、一方のイヤホンユニットが装着されていないことを検知した場合、前記信号処理部は、前記ミキシングをオフし、または、前記ミキシングの比率を低下させる
請求項７記載のステレオイヤホン装置。
【発明の詳細な説明】
【技術分野】
【０００１】
この発明は、使用者への装着状態に応じて、出力する音声を変化させるステレオイヤホン装置に関する。
【背景技術】
【０００２】
従来、使用者の首に掛けることができるリングと、リングから伸びる２本のケーブルにそれぞれ右耳用イヤホン、左耳用イヤホンが設けられたイヤホンが知られている（特許文献１参照）。このイヤホンによれば、リングを首に掛けた状態で、右耳用イヤホンおよび左耳用イヤホンの両方を両耳に装着する使用状態、右耳用イヤホンおよび左耳用イヤホンのうち一方を片耳に装着し、他方は耳から外した使用状態、および、右耳用イヤホンおよび左耳用イヤホンを両耳から外した使用状態に変化させることができる。
【先行技術文献】
【非特許文献】
【０００３】
【特許文献１】特開２００７‐１８３９２０号公報
【発明の開示】
【発明が解決しようとする課題】
【０００４】
しかしながら、右耳用イヤホンおよび左耳用イヤホンのいずれか一方のみを片耳に装着して使用する場合、使用者は、耳に装着しない他方のイヤホンから出力される音声を聞くことができない。このため、ステレオ信号のように右チャンネルと左チャンネルで異なる音声が出力される場合、使用者は、耳に装着しないイヤホンから出力される音声を聞くことができない。
【０００５】
また、イヤホンを耳に装着しない場合であっても、そのイヤホンからは、音声が放音され続ける。このため、耳に装着しないイヤホンから放音される音声は、周囲へのノイズになってしまう。
【０００６】
この発明は、使用者への装着状態に応じて、出力する音声を変化させるステレオイヤホン装置を提供することを課題とする。
【課題を解決するための手段】
【０００７】
本発明の第１の側面によって提供されるステレオイヤホン装置は、左右チャンネルの音声信号を音響に変換する左右のイヤホンユニットと、左右のイヤホンユニットがそれぞれ固定される左右の固定部と、固定部にイヤホンユニットが固定されているか否かを検知するセンサを含み、イヤホンユニットが固定部に固定されていることをセンサが検知したとき、その固定されたイヤホンユニットは使用者の耳に装着されていないと判断する装着状態検知部と、装着状態検知部の検知結果に基づいて、音声信号の左右のイヤホンユニットへの出力の態様を変化させる信号処理部と、を備える。
【０００８】
本発明の第２の側面によって提供されるステレオイヤホン装置は、左右チャンネルの音声信号を音響に変換する左右のイヤホンユニットと、左右チャンネルのソース音信号を受信または再生して出力するソース音出力部と、左右のイヤホンユニットにそれぞれ接続された左右のケーブルと、左右のイヤホンユニットまたは左右のケーブルがそれぞれ固定される左右の固定部と、固定部にイヤホンユニットまたはケーブルが固定されているか否かを検知するセンサを含み、このセンサがイヤホンユニットまたはケーブルが固定部に固定されていることを検知したとき、その固定されたイヤホンユニットまたは固定されたケーブルに接続されているイヤホンユニットは使用者の耳に装着されていないと判断する装着状態検知部と、装着状態検知部の検知結果に基づいて、音声信号の左右のイヤホンユニットへの出力の態様を変化させる信号処理部と、を備える。
【０００９】
上記発明において、使用者の首に装着する環状の装着部をさらに備え、左右のケーブルを装着部に接続し、固定部を装着部に設けてもよい。
【００１０】
上記発明において、信号処理部は、装着状態検知部の検知結果に基づいて、左右のイヤホンユニットのうち音声を出力するイヤホンユニットを選択し、または、左右のイヤホンユニットから出力する音量を変化させてもよい。
【００１１】
上記発明において、装着状態検知部が、左右のイヤホンユニットのうち、一方のイヤホンユニットが装着されていないことを検知した場合、信号処理部は、左右チャンネルの音声信号をダウンミックスした信号を他方のイヤホンユニットに出力してもよい。
【００１２】
上記発明において、装着状態検知部が、左右のイヤホンユニットの一方または両方が装着されていないことを検知した場合、信号処理部は、この装着されていないイヤホンユニットに出力する信号のレベルを低下させ、または、その信号をオフしてもよい。
【００１３】
上記発明において、外部音を収音するマイクをさらに備え、信号処理部は、音声信号に対して外部音をミキシングし、装着状態検知部の検知結果に基づいて、ミキシングのオン／オフを切り換え、または、ミキシングの比率を変化させてもよい。
【００１４】
上記発明において、装着状態検知部が、左右のイヤホンユニットのうち、一方のイヤホンユニットが装着されていないことを検知した場合、信号処理部は、ミキシングをオフし、または、ミキシングの比率を低下させてもよい。
【発明の効果】
【００１５】
この発明によれば、ステレオイヤホン装置は、使用者への装着状態に応じて、出力する音声を変化させることができる。
【図面の簡単な説明】
【００１６】
【図１】この発明が適用される実施形態１にかかるステレオイヤホン装置の正面図である。
【図２】使用者がステレオイヤホン装置の使用している状態を示す正面図である。
【図３】ステレオイヤホン装置のブロック図である。
【図４】ステレオイヤホン装置の機能ブロック図である。
【図５】ステレオイヤホン装置の動作を示すフローチャートである。
【図６】実施形態２にかかるステレオイヤホン装置の正面図である。
【発明を実施するための形態】
【００１７】
［実施形態１］
図１は、この発明が適用される実施形態１にかかるステレオイヤホン装置１００の正面図である。ステレオイヤホン装置１００は、リング１０、信号処理ユニット１１、左ケーブル１２Ｌ、右ケーブル１２Ｒ、イヤホンユニット１３Ｌ，１３Ｒ、左用固定部１６Ｌ、右用固定部１６Ｒを有している。以下の図では、矢印Ｒはステレオイヤホン装置１００の右方向を示し、矢印Ｌは左方向を示す。矢印Ｕは上方向、矢印Ｄは下方向を示す。矢印Ｆは前方向、矢印Ｂは後方向を示す。
【００１８】
リング１０は、使用者が首に掛けて装着することができる環状体である。リング１０は、例えば軟質の合成樹脂素材を用いて形成されている。リング１０の材質は特に限定されない。リング１０は、表面の色、柄または首に掛けられたときの形状などがファッション性に優れたデザインであることが好ましい。リング１０の内部には、信号処理ユニット１１に接続される左ケーブル１２Ｌおよび右ケーブル１２Ｒや、信号処理ユニット１１と左用固定部センサ１６１Ｌおよび右用固定部センサ１６１Ｒを接続するケーブル（図示せず）が配置されている。リングは、本発明の装着部に相当する。
【００１９】
リング１０は、着脱部１０１で分離および接合できるようになっている。着脱部１０１は、第１着脱部材１０２および第２着脱部材１０３を有している。第１着脱部材１０２は、凹部１０４を有している。第２着脱部材１０３は、凸部１０５を有している。凹部１０４に凸部１０５を差し込むことにより、第１着脱部材１０２および第２着脱部材１０３は接合され、リング１０は環状体となる。凹部１０４から凸部１０５を引き抜くことにより、第１着脱部材１０２および第２着脱部材１０３は分離される。第１着脱部材１０２および第２着脱部材１０３が分離された状態でリング１０を使用者の首に掛け回し、第１着脱部材１０２および第２着脱部材１０３を接合することでリング１０を使用者の首に装着することができる。本実施形態では、リング１０は、着脱部１０１が使用者の首の前方に位置するように装着される。着脱部１０１が使用者の首の後方あるいは側方に位置するように装着されるようにしてもよい。なお、着脱部１０１の形状や構造は限定されない。例えば、着脱部１０１は、凸部１０５を凹部１０４に嵌合させる方式でなく、他の方式（例えばマグネット）で接合されてもよい。
【００２０】
信号処理ユニット１１は、Ｂｌｕｅｔｏｏｔｈ（登録商標）通信部２５を有している。Ｂｌｕｅｔｏｏｔｈ通信部２５は、Ｂｌｕｅｔｏｏｔｈの通信が確立したオーディオプレーヤ等からソース音（オーディオ信号）を入力する。Ｂｌｕｅｔｏｏｔｈ通信部２５から入力されたオーディオ信号は、信号処理ユニット１１で音質の調整などの音声処理が行われ、イヤホンユニット１３Ｌ，１３Ｒから出力される。なお、Ｂｌｕｅｔｏｏｔｈ通信部の代わりにオーディオジャック等を設け、他のオーディオプレーヤと有線で接続されるようにしてもよい。
【００２１】
左ケーブル１２Ｌおよび右ケーブル１２Ｒは、信号処理ユニット１１とイヤホンユニット１３Ｌ，１３Ｒを接続するケーブルである。上述のように、左ケーブル１２Ｌおよび右ケーブル１２Ｒは、リング１０の内部にも配置されていて信号処理ユニット１１と接続されている。左ケーブル１２Ｌは、左分岐部１２１Ｌでリング１０の内部から外部に出ており、リング１０に対して外観的に分岐している。右ケーブル１２Ｒは、右分岐部１２１Ｒでリング１０の内部から外部に出ており、リング１０に対して外観的に分岐している。本実施形態では、左分岐部１２１Ｌはリング１０の左部に配置され、右分岐部１２１Ｒはリング１０の右部に配置されている。このため、使用者は、左ケーブル１２Ｌおよび右ケーブル１２Ｒを右手や左手でつまんで、イヤホンユニット１３Ｌ，１３Ｒを耳に装着する操作を容易に行うことできる。
【００２２】
イヤホンユニット１３Ｌ，１３Ｒは、カナル型イヤホンである。イヤホンユニット１３Ｌは、左ケーブル１２Ｌの左分岐部１２１Ｌに対して反対側の端部に取り付けられている。イヤホンユニット１３Ｒは、右ケーブル１２Ｒの右分岐部１２１Ｒに対して反対側の端部に取り付けられている。イヤホンユニット１３Ｌは、スピーカ１４４Ｌおよびマイク１４６を有し、イヤホンユニット１３Ｒは、スピーカ１４４Ｒを有する。マイク１４６は、周囲の音（外部音）を取得し、収音信号を出力する。収音信号は、信号処理ユニット１１で音声処理が行われ、イヤホンユニット１３Ｌ，１３Ｒから出力される。イヤホンユニット１３Ｌ，１３Ｒは、使用者が耳に装着することで、マイク１４６で収音した外部音およびオーディオプレーヤからのオーディオ信号等に基づいた音声を使用者に伝達する。
【００２３】
左用固定部１６Ｌおよび右用固定部１６Ｒは、それぞれリング１０に設けられている。左用固定部１６Ｌは、リング１０の右部に設けられており、イヤホンユニット１３Ｌを固定することができる。右用固定部１６Ｒは、リング１０の左部に設けられており、イヤホンユニット１３Ｒを固定することができる。イヤホンユニット１３Ｌ，１３Ｒのいずれか一方を使用しない場合、あるいは両方を使用しない場合、使用しないイヤホンユニット１３Ｌ，１３Ｒを左用固定部１６Ｌおよび右用固定部１６Ｒに固定しておくことができる。左用固定部１６Ｌおよび右用固定部１６Ｒは、イヤホンユニット１３Ｌ，１３Ｒを挟んで固定する構造でもよく、マグネット等で固定する構造でもよい。
【００２４】
左用固定部１６Ｌには、左用固定部センサ１６１Ｌが設けられており、右用固定部１６Ｒは、右用固定部センサ１６１Ｒが設けられている。左用固定部センサ１６１Ｌおよび右用固定部センサ１６１Ｒとして、例えばタッチセンサを用いることができる。左用固定部１６Ｌにイヤホンユニット１３Ｌが固定された場合、および右用固定部１６Ｒにイヤホンユニット１３Ｒが固定された場合、左用固定部センサ１６１Ｌおよび右用固定部センサ１６１Ｒは検知信号を出力する。例えば、使用者がイヤホンユニット１３Ｌだけを左耳に装着し、イヤホンユニット１３Ｒを使用しない場合、イヤホンユニット１３Ｒを右用固定部１６Ｒに固定すると、右用固定部センサ１６１Ｒは、イヤホンユニット１３Ｒが右用固定部１６Ｒに固定されたことを検知する。これにより、イヤホンユニット１３Ｒが使用者の耳に装着されていないことを検知することができる。左用固定部センサ１６１Ｌ、および、右用固定部センサ１６１Ｒは、本発明の装着状態検知部に相当する。
【００２５】
図２は、使用者Ｕがステレオイヤホン装置１００の使用している状態を示す正面図である。使用者Ｕは前方を向いた状態でステレオイヤホン装置１００を首Ｎに掛けて使用しているものとする。
【００２６】
図２Ａは、使用者Ｕの左右の耳ＥＬ，ＥＲにイヤホンユニット１３Ｌ，１３Ｒが装着されている。言い換えると、左用固定部１６Ｌおよび右用固定部１６Ｒにはイヤホンユニット１３Ｌ，１３Ｒが固定されていない。左用固定部１６Ｌおよび右用固定部１６Ｒにイヤホンユニット１３Ｌ，１３Ｒが固定されていない状態を「両耳使用状態」とする。この使用状態は、例えば、音楽等を聴く場合に適している。
【００２７】
図２Ｂは、使用者Ｕの右耳ＥＲにイヤホンユニット１３Ｒが装着され、左用固定部１６Ｌにイヤホンユニット１３Ｌが固定されている。言い換えると、左用固定部１６Ｌにはイヤホンユニット１３Ｌが固定されており、右用固定部１６Ｒにはイヤホンユニット１３Ｒが固定されていない。左用固定部１６Ｌにイヤホンユニット１３Ｌが固定されており、右用固定部１６Ｒにイヤホンユニット１３Ｒが固定されていない状態を「右耳使用状態」とする。なお、図２Ｂとは逆に、左用固定部１６Ｌにイヤホンユニット１３Ｌが固定されておらず、右用固定部１６Ｒにイヤホンユニット１３Ｒが固定されている状態を「左耳使用状態」とする。この使用状態は、例えば、音楽等を聴きながら外部の音声を聞く場合に適している。
【００２８】
図２Ｃは、使用者Ｕの左右の耳ＥＬ，ＥＲにイヤホンユニット１３Ｌ，１３Ｒが装着されておらず、左用固定部１６Ｌにイヤホンユニット１３Ｌが固定され、右用固定部１６Ｒにイヤホンユニット１３Ｒが固定されている。左用固定部１６Ｌにイヤホンユニット１３Ｌが固定され、右用固定部１６Ｒにイヤホンユニット１３Ｒが固定されている状態を「未使用状態」とする。この使用状態は、例えば、音楽等を聴かずに外部の音声を聞く場合に適している。
【００２９】
図２Ａ、図２Ｂおよび図２Ｃに示したように、本実施形態のステレオイヤホン装置１００は、「両耳使用状態」のみならず、「左耳使用状態」、「右耳使用状態」、および、「未使用状態」の場合にも、イヤホンユニット１３Ｌ，１３Ｒが垂れ下がることなく、リング状の外観を維持することができる。
【００３０】
図３は、ステレオイヤホン装置１００のブロック図である。ステレオイヤホン装置１００の信号処理ユニット１１は、音声制御部２１、信号処理部２２、スピーカ駆動部２４、および、Ｂｌｕｅｔｏｏｔｈ通信回路２５を有している。
【００３１】
音声制御部２１は、ＣＰＵ２１１、および、ＲＯＭ，ＲＡＭ等からなるメモリ２１２を備えたマイクロコンピュータで構成されている。音声制御部２１には、信号処理部２２、Ｂｌｕｅｔｏｏｔｈ通信回路２５、マイク１４６、左用固定部センサ１６１Ｌ、および、右用固定部センサ１６１Ｒが接続されている。音声制御部２１はメモリ２１２に予め記憶された制御プログラムをＣＰＵ２１１で実行することにより、音声制御機能を実現する。音声制御部２１は、左用固定部センサ１６１Ｌ、および、右用固定部センサ１６１Ｒからの検知信号に基づいて、信号処理部２２に対して、マイク１４６で収音された外部音およびＢｌｕｅｔｏｏｔｈ通信回路２５を介して入力されたソース音に対する処理内容を指示する。
【００３２】
Ｂｌｕｅｔｏｏｔｈ通信回路２５は、Ｂｌｕｅｔｏｏｔｈ規格の無線通信により信号を送信する機能および受信する機能を有している。Ｂｌｕｅｔｏｏｔｈ通信回路２５は、オーディオプレーヤ等からソース音を受信する。Ｂｌｕｅｔｏｏｔｈ通信回路２５経由で受信されるソース音は、２チャンネルステレオのオーディオ信号であるものとする。
【００３３】
信号処理部２２は、Ｂｌｕｅｔｏｏｔｈ通信回路２５を介して入力されたソース音および／またはマイク１４６で収音された外部音の音質を調整（イコライズ）するとともに、必要に応じてソース音のダウンミックス、または、ソース音への外部音ミキシングをおこない、処理されたオーディオ信号をスピーカ駆動部２４に出力する。スピーカ駆動部２４は、アンプを有しており、信号処理部２２から入力されたオーディオ信号を増幅し、増幅した信号をそれぞれスピーカ１４４Ｌ，１４４Ｒに出力する。
【００３４】
図４は、ステレオイヤホン装置１００の機能ブロック図である。図４を用いてステレオイヤホン装置１００の機能について説明する。
【００３５】
図４に示すように、ステレオイヤホン装置１００の音声制御部２１および信号処理部２２は、制御プログラムとの協働により、装着状態判定部２１０、出力切替部２１２、外部音切替部２１６を機能的に備えている。
【００３６】
装着状態判定部２１０は、左用固定部センサ１６１Ｌ、および、右用固定部センサ１６１Ｒからの検知信号に基づいて、ステレオイヤホン装置１００の使用状態を判定する。具体的には、図２の説明で述べたように、ステレオイヤホン装置１００が「両耳使用状態」、「左耳使用状態」、「右耳使用状態」、および、「未使用状態」のいずれの状態であるかを判定する。
【００３７】
装着状態判定部２１０は、左用固定部センサ１６１Ｌ、および、右用固定部センサ１６１Ｒの両方から検知信号が入力されない場合、「両耳使用状態」であると判定する。左用固定部センサ１６１Ｌから検知信号が入力され、右用固定部センサ１６１Ｒから検知信号が入力されない場合、装着状態判定部２１０は、「右耳使用状態」であると判定する。反対に、右用固定部センサ１６１Ｒから検知信号が入力され、左用固定部センサ１６１Ｌから検知信号が入力されない場合、装着状態判定部２１０は、「左耳使用状態」であると判定する。右用固定部センサ１６１Ｒ、および、左用固定部センサ１６１Ｌの両方から検知信号が入力された場合、装着状態判定部２１０は、「未使用状態」であると判定する。
【００３８】
出力切替部２１２は、装着状態判定部２１０の判定結果に基づいて、イヤホンユニット１３Ｌ，１３Ｒ（スピーカ１４４Ｌ，１４４Ｒ）のそれぞれに出力される音声信号を切り替える。
【００３９】
具体的には、装着状態判定部２１０の判定結果が「両耳使用状態」の場合、出力切替部２１２は、イヤホンユニット１３Ｌ，１３Ｒ（スピーカ１４４Ｌ，１４４Ｒ）の両方に、音声信号を出力する。この場合、イヤホンユニット１３Ｌ（スピーカ１４４Ｌ）からは左チャンネルのソース音、イヤホンユニット１３Ｒ（スピーカ１４４Ｒ）からは右チャンネルのソース音が出力される。
【００４０】
装着状態判定部２１０の判定結果が「左耳使用状態」の場合、出力切替部２１２は、イヤホンユニット１３Ｌ（スピーカ１４４Ｌ）に音声信号を出力し、イヤホンユニット１３Ｒ（スピーカ１４４Ｒ）への音声信号の出力を停止する。この場合、出力切替部２１２は、入力されたステレオ（ＬＲ）のオーディオ信号をモノラルのオーディオ信号にダウンミックスしてイヤホンユニット１３Ｌ（スピーカ１４４Ｌ）に出力する。これは「左耳使用状態」の場合、使用者Ｕは左耳、すなわち、イヤホンユニット１３Ｌ（スピーカ１４４Ｌ）のみで音声を聴くからである。
【００４１】
装着状態判定部２１０の判定結果が「右耳使用状態」の場合、出力切替部２１２は、イヤホンユニット１３Ｒ（スピーカ１４４Ｒ）に音声信号を出力し、イヤホンユニット１３Ｌ（スピーカ１４４Ｌ）への音声信号の出力を停止する。この場合、出力切替部２１２は、入力されたステレオの（ＬＲ）オーディオ信号をモノラルのオーディオ信号にダウンミックスしてイヤホンユニット１３Ｒ（スピーカ１４４Ｒ）に出力する。これは「右耳使用状態」の場合、使用者Ｕは右耳、すなわち、イヤホンユニット１３Ｒ（スピーカ１４４Ｒ）のみで音声を聴くからである。
【００４２】
装着状態判定部２１０の判定結果が「未使用状態」の場合、出力切替部２１２は、イヤホンユニット１３Ｌ，１３Ｒ（スピーカ１４４Ｌ，１４４Ｒ）両方への音声信号の出力を停止する。これは「未使用状態」の場合は、使用者Ｕの耳に装着されていないイヤホンユニット１３Ｌ,１３Ｒ（スピーカ１４４Ｌ,１４４Ｒ）からの音声の放音は不要だからである。
【００４３】
なお、「未使用状態」の場合、ソース音を送信してくるオーディオプレーヤに対してＢｌｕｅｔｏｏｔｈ経由でポーズ信号を送信して再生を一時停止させてもよい。
【００４４】
外部音切替部２１６は、装着状態判定部２１０の判定結果に基づいて、ソース音に外部音信号をミキシングしてイヤホンユニット１３Ｌ，１３Ｒ（スピーカ１４４Ｌ，１４４Ｒ）へ出力するか否かを切り替える。
【００４５】
具体的には、装着状態判定部２１０の判定結果が「両耳使用状態」の場合、外部音切替部２１６は、イヤホンユニット１３Ｌ，１３Ｒ（スピーカ１４４Ｌ，１４４Ｒ）に出力する音声信号を外部音信号にソース音をミキシングした音声信号とする。これは「両耳使用状態」の場合、イヤホンユニット１３Ｌ，１３Ｒ（スピーカ１４４Ｌ，１４４Ｒ）が使用者の両耳に装着されており、外部音が遮蔽されて使用者に聞こえないためである。外部音信号にソース音をミキシングした音声信号を出力することにより、イヤホンユニット１３Ｌ，１３Ｒが両耳に装着された状態であっても外部音を聞くことができる。
【００４６】
装着状態判定部２１０の判定結果が「左耳使用状態」、「右耳使用状態」または「未使用状態」の場合、外部音切替部２１６は、ソース音に外部音信号をミキシングしない。イヤホンユニット１３Ｌ（スピーカ１４４Ｌ）に出力する音声信号をソース音のみとする。これらの使用状態の場合、左右いずれかの耳にイヤホンユニット１３Ｌ，１３Ｒが装着されておらず直接外部音が聞こえるためである。
【００４７】
図５は、ステレオイヤホン装置１００の動作を示すフローチャートである。この処理動作は短時間（たとえば１００ミリ秒）ごとに繰り返し実行される。Ｂｌｕｅｔｏｏｔｈ通信回路２５は、２チャンネルのソース音を受信しており、マイク１４６は、周囲の音（外部音）を取得し、収音信号を出力しているものとする。
【００４８】
ステレオイヤホン装置１００の動作がスタートすると、装着状態判定部２１０は、左用固定部センサ１６１Ｌ、および、右用固定部センサ１６１Ｒからの検知信号に基づいて、ステレオイヤホン装置１００の使用状態を判定する。まず、装着状態判定部２１０は、右用固定部センサ１６１Ｒからの検知信号が入力されているかどうか判定する（Ｓ１１）。右用固定部センサ１６１Ｒからの検知信号が入力されている場合（Ｓ１１でＹＥＳ）、装着状態判定部２１０は、左用固定部センサ１６１Ｌからの検知信号が入力されているかどうか判定する（Ｓ１２）。左用固定部センサ１６１Ｌからの検知信号が入力されていない場合（Ｓ１２でＮＯ）、装着状態判定部２１０は、ステレオイヤホン装置１００が「左耳使用状態」であると判定する（Ｓ１３）。
【００４９】
Ｓ１１で、右用固定部センサ１６１Ｒからの検知信号が入力されていない場合（Ｓ１１でＮＯ）、装着状態判定部２１０は、左用固定部センサ１６１Ｌからの検知信号が入力されているかどうか判定する（Ｓ１６）。左用固定部センサ１６１Ｌからの検知信号が入力されている場合（Ｓ１６でＹＥＳ）、装着状態判定部２１０は、ステレオイヤホン装置１００が「右耳使用状態」であると判定する（Ｓ１７）。
【００５０】
Ｓ１６で、左用固定部センサ１６１Ｌからの検知信号が入力されていない場合（Ｓ１６でＮＯ）、装着状態判定部２１０は、ステレオイヤホン装置１００が「両耳使用状態」であると判定する（Ｓ２０）。
【００５１】
一方、Ｓ１２で、左用固定部センサ１６１Ｌからの検知信号が入力されている場合（Ｓ１２でＹＥＳ）、装着状態判定部２１０は、ステレオイヤホン装置１００が「未使用状態」であると判定する（Ｓ２３）。
【００５２】
装着状態判定部２１０の判定結果が「両耳使用状態」である場合（Ｓ２０）、外部音切替部２１６は、ソース音に外部音をミキシングして（Ｓ２１）、イヤホンユニット１３Ｌ，１３Ｒ（スピーカ１４４Ｌ，１４４Ｒ）の両方に、音声信号を出力する（Ｓ２２）。
【００５３】
装着状態判定部２１０の判定結果が「左耳使用状態」である場合（Ｓ１３）、出力切替部２１２は、ステレオのソース音をモノラル信号にダウンミックスして（Ｓ１４）、左のイヤホンユニット１３Ｌ（スピーカ１４４Ｌ）のみに出力する（Ｓ１５）。なお、イヤホンユニット１３Ｒ（スピーカ１４４Ｒ）への音声信号の出力は停止され、外部音切替部２１６によるソース音への外部音のミキシングは行われない。
【００５４】
装着状態判定部２１０の判定結果が「右耳使用状態」である場合（Ｓ１７）、出力切替部２１２は、ステレオのソース音をモノラル信号にダウンミックスして（Ｓ１８）、右のイヤホンユニット１３Ｒ（スピーカ１４４Ｒ）のみに出力する（Ｓ１９）。なお、イヤホンユニット１３Ｌ（スピーカ１４４Ｌ）への音声信号の出力は停止され、外部音切替部２１６によるソース音への外部音のミキシングは行われない。
【００５５】
装着状態判定部２１０の判定結果が「未使用状態」である場合（Ｓ２３）、出力切替部２１２は、イヤホンユニット１３Ｌ，１３Ｒ（スピーカ１４４Ｌ，１４４Ｒ）両方への音声信号の出力を停止する（Ｓ２４）。そして、オーディオプレーヤが受信可能であれば、オーディオプレーヤに対してＢｌｕｅｔｏｏｔｈ経由でポーズ信号を送信してもよい（Ｓ２５）。なお、オーディオプレーヤに対してポーズ信号を送信した場合には、その後、使用状態が「両耳使用状態」、「左耳使用状態」または「右耳使用状態」に変化した場合、オーディオプレーヤに対して再生再開を指示する信号を送信する。
【００５６】
以上説明した本実施形態１では、装着状態検知部として機能する左用固定部センサ１６１Ｌおよび右用固定部センサ１６１Ｒをタッチセンサで構成しているが、左用固定部センサ１６１Ｌおよび右用固定部センサ１６１Ｒをは、タッチセンサに限定されない。たとえば、左用、右用の固定部１６Ｌ，１６Ｒのケーブル１２Ｌ，１２Ｒの固定による歪を検出する歪センサを用いることも可能である。また、装着状態検知部を左用固定部１６Ｌおよび右用固定部１６Ｒ以外に設けてもよい。例えば、イヤホンユニット１３Ｌ，１３Ｒの装着によるイヤーピースの歪を検出する歪センサを設けてもよく、イヤホンユニット１３Ｌ，１３Ｒにモーションセンサを設けてもよい。イヤホンユニット１３Ｌ，１３Ｒにモーションセンサを設けた場合、使用者の耳に装着された状態でのイヤホンユニットの振動と、使用者の耳から離れた状態（非装着状態）でのイヤホンユニットの振動の差異（非装着状態での振り子動作の検出）などをモーションセンサで検知することでイヤホンユニット１３Ｌ，１３Ｒの装着状態の検知が可能である。また、イヤホンユニット１３Ｌ，１３Ｒに生体センサを設けてもよい。この場合、イヤホンユニット１３Ｌ，１３Ｒが使用者の耳に装着されているかどうかを生体センサで検知することが可能である。
【００５７】
出力切替部２１２は、音声信号の出力と音声信号の停止を切り替えるようにしたが、これに限定されない。例えば、非装着側の音声信号の停止ではなく、音声信号の出力を下げるようにしてもよく、また、装着側の音声信号の出力を上げるようにしてもよい。また信号処理回路を設け、両耳の場合の信号処理、片耳の場合の信号処理を切替えてもよい。
【００５８】
外部音切替部２１６は、外部音信号とソース音信号をミキシングした音声信号とするか、ソース音信号のみとするかを切り替えるが、これに限定されない。例えば、ソース音信号に対する外部音信号の比率を変化させるようにしてもよい。
【００５９】
［実施形態２］
実施形態２にかかるステレオイヤホン装置１００は、リング１０Ａに対する左ケーブル１２Ｌおよび右ケーブル１２Ｒの分岐部１２１Ａの位置が、実施形態１の分岐部１２１Ｌ,１２１Ｒの位置と異なっている。同一の構成については同一の符号を付して詳細な説明については省略する。
【００６０】
図６は、実施形態２にかかるステレオイヤホン装置１００Ａの正面図である。左ケーブル１２Ｌおよび右ケーブル１２Ｒは、信号処理ユニット１１とイヤホンユニット１３Ｌ，１３Ｒを接続するケーブルである。左ケーブル１２Ｌおよび右ケーブル１２Ｒは、分岐部１２１Ａでリング１０Ａの内部から外部に出ており、リング１０Ａに対して外観的に分岐している。分岐部１２１Ａは、リング１０Ａを使用者の首に掛けた状態で、使用者の背中側に位置する。このため、リング１０Ａを使用者の首に掛けた状態で、分岐部１２１Ａ、左ケーブル１２Ｌ、および右ケーブル１２Ｒを他者から目立ちにくくすることができる。分岐部１２１Ａは、
【００６１】
左用固定部１６Ｌおよび右用固定部１６Ｒは、それぞれリング１０Ａに設けられている。左用固定部１６Ｌは、リング１０の左部に設けられており、イヤホンユニット１３Ｌを固定することができる。右用固定部１６Ｒは、リング１０の右部に設けられており、イヤホンユニット１３Ｒを固定することができる。
【００６２】
以上説明した本発明のステレオイヤホン装置は、上記実施形態に限定されない。信号処理ユニット１１は、ハードウェアとして設けられていてもよいが、スマートフォン等の情報処理装置におけるＣＰＵが所定のプログラムを実行することによりソフトウェアとして実現することも可能である。
【００６３】
マイク１４６の設置位置は、イヤホンユニット１３Ｌ，１３Ｒ以外であってもよい。例えば信号処理ユニット１１やリング１０に設けられていてもよい。
【００６４】
リング１０、着脱部１０１等の形状や、左ケーブル１２Ｌおよび右ケーブル１２Ｒの長さや太さは、実施形態のものに限定されない。これらはステレオイヤホン装置の装飾性を向上させる要素にもなり得るため、種々の構造やデザインに変更することが可能である。
【符号の説明】
【００６５】
１００、１００Ａ  ステレオイヤホン装置
１３Ｌ，１３Ｒ  イヤホンユニット
２１  音声制御部
２２  信号処理部
２５  Ｂｌｕｅｔｏｏｔｈ通信回路
１４６  マイク
１６Ｌ  左用固定部
１６Ｒ  右用固定部
１６１Ｌ  左用固定部センサ（装着状態検知部）
１６１Ｒ  右用固定部センサ（装着状態検知部）
【図１】
2020080576.tif 000003
【図２】
2020080576.tif 000004
【図３】
2020080576.tif 000005
【図４】
2020080576.tif 000006
【図５】
2020080576.tif 000007
【図６】
2020080576.tif 000008